(57)【要約】【課題】オリジナル作品の制作を低コストかつ気軽にオーダーすることを可能とする手段を提供する。【解決手段】端末装置１１はユーザに選択された楽曲のカラオケデータをサーバ装置１２からダウンロードし、伴奏の再生および歌詞のテロップ表示を行う。それに応じて、ユーザは歌唱を行う。ユーザの歌唱の音声は端末装置１１に音声データとして記録され、サーバ装置１２に送信される。また、ユーザは希望の楽曲スタイルおよびテンプレートを選択する。端末装置１１は選択された楽曲スタイルおよびテンプレートを示す加工指示データをサーバ装置１２に送信する。音楽制作会社は、音声データを加工指示データにより示される音楽スタイルに従いアレンジする。また、音楽制作会社は、加工指示データにより示されるテンプレートに従い、アレンジにより制作した演奏データを格納するＣＤのパッケージのデザインを行う。【選択図】図１
2010211772.tif 000002
【特許請求の範囲】
【請求項１】
任意のユーザが行うべき動作を指示する動作指示データと当該動作指示データの指示に従い当該任意のユーザが動作を行う間に前記ユーザに対し表示されるべき画像もしくは発音されるべき音を示す背景コンテンツデータとを含むプロジェクトデータを複数記憶するサーバ装置と、前記サーバ装置との間でネットワークを介して通信可能な端末装置とを備えるシステムにおいて、
前記端末装置が前記サーバ装置に対し前記複数のプロジェクトデータの中から前記端末装置のユーザにより選択された１のプロジェクトデータの送信要求を送信するステップと、
前記送信要求に応じて、前記サーバ装置が前記端末装置に対し前記１のプロジェクトデータを送信するステップと、
前記端末装置が前記送信要求に応じて前記サーバ装置から送信されてくる前記１のプロジェクトデータに含まれる前記動作指示データに従った前記端末装置のユーザに対する指示と当該１のプロジェクトデータに含まれる前記背景コンテンツデータに従った画像の表示または音の発音とを同時に行うとともに、当該指示に従い前記端末装置のユーザにより行われる動作の属性の時系列的な変化を示す記録データの生成を行うステップと、
前記端末装置が前記サーバ装置に対し、前記記録データを送信するステップと、
前記端末装置が前記サーバ装置に対し、前記記録データを用いて生成されるべき一のコンテンツの加工に関する指示を示す加工指示データを送信するステップと
を備える方法。
【請求項２】
任意の端末装置との間でネットワークを介して通信可能なサーバ装置であって、
任意のユーザが行うべき動作を指示する動作指示データと当該動作指示データの指示に従い当該任意のユーザが動作を行う間に前記ユーザに対し表示されるべき画像もしくは発音されるべき音を示す背景コンテンツデータとを含むプロジェクトデータを複数記憶する記憶手段と、
一の端末装置から前記複数のプロジェクトデータの中の１のプロジェクトデータの送信要求を受信する受信手段と、
前記送信要求に応じて、前記一の端末装置に対し前記１のプロジェクトデータを送信する送信手段と
を備え、
前記受信手段は、前記一の端末装置から、前記１のプロジェクトデータに含まれる前記動作指示データに従い前記一の端末装置のユーザが行った動作の属性の時系列的な変化を示す記録データを受信し、
前記受信手段は、前記一の端末装置から、前記記録データを用いて生成されるべき一のコンテンツの加工に関する指示を示す加工指示データを受信する
サーバ装置。
【請求項３】
前記加工指示データは、前記記録データに含まれるデータのうち、前記一のコンテンツの加工において使用されるべき部分を示すデータを含む
請求項２に記載のサーバ装置。
【請求項４】
前記記録データは前記一の端末装置のユーザが行った歌唱演奏を記録した音声データを含み、
前記一のコンテンツは前記音声データを用いてアレンジされた楽曲を示す楽曲データを含み、
前記加工指示データは、前記アレンジにおいて採用されるべき楽曲スタイルを示すデータを含む
請求項２または３に記載のサーバ装置。
【請求項５】
前記加工指示データは、前記一のコンテンツの加工において使用されるべき静止画を示す静止画データを含む
請求項２乃至４のいずれかに記載のサーバ装置。
【請求項６】
前記一のコンテンツは、前記記録データを用いて生成されたデータを記録した記録媒体と、当該記録媒体を収容するパッケージとを含み、
前記記憶手段は、任意のコンテンツに含まれる記録媒体およびパッケージの表面に形成される画像に関する複数のテンプレートを記憶し、
前記加工指示データは、前記複数のテンプレートの中の１のテンプレートを指示するデータを含む
請求項２乃至５のいずれかに記載のサーバ装置。
【請求項７】
前記一のコンテンツは、前記記録データを用いて生成されたデータであり、
前記受信手段は、前記一の端末装置から一の電子メールアドレスを受信し、
前記送信手段は、前記一の電子メールアドレスに宛てて、前記一のコンテンツもしくは前記一のコンテンツが格納されている前記ネットワークにおける場所を示すアドレスデータを送信する
請求項２乃至５のいずれかに記載のサーバ装置。
【請求項８】
前記一のコンテンツは、前記記録データを用いて生成されたデータであり、
前記受信手段は、前記一の端末装置から前記一のコンテンツの送信要求を受信し、
前記送信手段は、前記コンテンツの送信要求に応じて、前記一のコンテンツデータを前記一の端末装置に送信する
請求項２乃至５のいずれかに記載のサーバ装置。
【請求項９】
前記受信手段は、前記一の端末装置から、前記一のコンテンツの送付先の住所を示す住所データを受信する
請求項２乃至６のいずれかに記載のサーバ装置。
【請求項１０】
コンピュータを、請求項２乃至９のいずれかに記載のサーバ装置が備える手段として機能させるためのプログラム。
【請求項１１】
任意のユーザが行うべき動作を指示する動作指示データと当該動作指示データの指示に従い当該任意のユーザが動作を行う間に前記ユーザに対し表示されるべき画像もしくは発音されるべき音を示す背景コンテンツデータとを含むプロジェクトデータを複数記憶するサーバ装置との間でネットワークを介して通信可能な端末装置であって、
ユーザの操作に応じて所定の信号を生成する入力手段と、
前記サーバ装置に対しデータを送信する送信手段と、
前記サーバ装置から送信されてくるデータを受信する受信手段と、
ユーザに対し画像の表示もしくは音の発音を行う出力手段と、
ユーザの動作の属性を示すデータを取得し、当該データの時系列的な変化を示す記録データを生成する記録手段と
を備え、
前記送信手段は、前記入力手段に対するユーザの操作に応じて前記複数のプロジェクトデータの中から選択された１のプロジェクトデータの送信要求を前記サーバ装置に対し送信し、
前記受信手段は、前記送信要求に応じて前記サーバ装置から送信されてくる前記１のプロジェクトデータを受信し、
前記出力手段は、前記１のプロジェクトデータに含まれる前記動作指示データに従いユーザに対する指示を示す画像の表示もしくは音の発音を行い、
前記記録手段は、前記出力手段による前記指示を示す画像の表示もしくは音の発音が行われる間、前記記録データの生成を行い、
前記送信手段は、前記記録データを前記サーバ装置に送信し、
前記送信手段は、前記記録データを用いて生成されるべき一のコンテンツの加工に関する指示を示す加工指示データを前記サーバ装置に送信する
端末装置。
【請求項１２】
前記加工指示データは、前記記録データに含まれるデータのうち、前記入力手段に対するユーザの操作に応じて選択された前記一のコンテンツの加工において使用されるべき部分を示すデータを含む
請求項１１に記載の端末装置。
【請求項１３】
前記送信手段は、前記記録手段により生成されたデータのうち、前記入力手段に対するユーザの操作に応じて前記一のコンテンツの加工において使用されるべき部分として選択されたデータのみを、前記記録データとして前記サーバ装置に送信する
請求項１１または１２に記載の端末装置。
【請求項１４】
前記記録手段は、ユーザが行った歌唱演奏を記録した音声データを含む前記記録データを生成し、
前記一のコンテンツは前記音声データを用いてアレンジされた楽曲を示す楽曲データを含み、
前記加工指示データは、前記入力手段に対するユーザの操作に応じて選択された前記アレンジにおいて採用されるべき楽曲スタイルを示すデータを含む
請求項１１乃至１３のいずれかに記載の端末装置。
【請求項１５】
前記加工指示データは、前記一のコンテンツの加工において使用されるべき静止画を示す静止画データを含む
請求項１１乃至１４のいずれかに記載の端末装置。
【請求項１６】
前記一のコンテンツは、前記記録データを用いて生成されたデータを記録した記録媒体と、当該記録媒体を収容するパッケージとを含み、
前記サーバ装置は、任意のコンテンツに含まれる記録媒体およびパッケージの表面に形成される画像に関する複数のテンプレートを記憶し、
前記加工指示データは、前記複数のテンプレートの中から前記入力手段に対するユーザの操作に応じて選択された１のテンプレートを指示するデータを含む
請求項１１乃至１５のいずれかに記載の端末装置。
【請求項１７】
前記一のコンテンツは、前記記録データを用いて生成されたデータであり、
前記送信手段は、前記サーバ装置に対し一の電子メールアドレスを送信し、
前記受信手段は、前記一の電子メールアドレスに宛てて前記サーバ装置から送信された前記一のコンテンツもしくは前記一のコンテンツが格納されている前記ネットワークにおける場所を示すアドレスデータを、前記一の電子メールアドレスに宛てて送信された電子メールを格納するメールサーバ装置から受信する
請求項１１乃至１５のいずれかに記載の端末装置。
【請求項１８】
前記一のコンテンツは、前記記録データを用いて生成されたデータであり、
前記送信手段は、前記サーバ装置に対し前記一のコンテンツの送信要求を送信し、
前記受信手段は、前記コンテンツの送信要求に応じて前記サーバ装置から送信されてくる前記一のコンテンツデータを受信する
請求項１１乃至１５のいずれかに記載の端末装置。
【請求項１９】
前記送信手段は、前記サーバ装置に対し前記一のコンテンツの送付先の住所を示す住所データを受信する
請求項１１乃至１６のいずれかに記載の端末装置。
【請求項２０】
前記記録手段は、ユーザが発声する音声を記録した音声データ、ユーザの姿を示す動画を記録した動画データ、およびユーザの身体の所定部位の位置の時系列的な変化を示す移動データのいずれか、もしくは当該音声データ、当該動画データ、および当該移動データのいずれかを用いて生成されたデータを含む前記記録データを生成する
請求項１１乃至１９のいずれかに記載の端末装置。
【請求項２１】
コンピュータを、請求項１１乃至２０のいずれかに記載の端末装置が備える手段として機能させるためのプログラム。
【発明の詳細な説明】
【技術分野】
【０００１】
本発明は、ネットワークを介してコンテンツの生成指示を行うための技術に関する。
【背景技術】
【０００２】
ユーザが、カラオケ店に配置されたカラオケ装置を用いて歌唱した際のユーザの音声および姿を示す音声付き動画データをカラオケ装置とネットワークを介して接続されたサーバ装置に格納しておき、ユーザもしくは任意の人がその動画データを希望する時に任意のカラオケ装置もしくは任意の端末装置にダウンロードして、その動作データに従い動画の再生を行うことを可能とするシステムがある。そのようなシステムを開示する文献として、例えば特許文献１がある。
【先行技術文献】
【特許文献】
【０００３】
【特許文献１】特開２００７−２５６８０３号公報
【発明の概要】
【発明が解決しようとする課題】
【０００４】
カラオケによる歌唱の内容を友人・知人等に試聴してもらいたい、という希望を持つユーザの中には、自分の歌唱の音声および姿を示す音声付き動画にアレンジを施して、そのクオリティおよびオリジナリティを高めたい、と思う人々がいる。
【０００５】
また、知人・友人等に自分の歌唱演奏を示す音声データを記録したＣＤや動画データを記録したＤＶＤを、デザイン性に優れたパッケージで包む等して渡すことができれば、受け取った人がそれらのＣＤやＤＶＤに記録されている音楽や動画を視聴する際の印象を高めることができ、望ましい。
【０００６】
従来、上記のようなニーズを満たすためには、音楽制作会社や映像制作会社に音声データや動画データを持ち込み、それらの音楽制作会社や映像制作会社のスタッフとの間でアレンジのオーダー内容をやりとりする必要があった。
【０００７】
上記の従来の方法による場合、アレンジを依頼する側とアレンジを依頼される側の双方にとって時間・手間がかかるため、例えば子供の歌唱する様子を記録したビデオを親族や知人・友人に視聴させたい、といった家庭的なニーズを満たすには、コスト高になりすぎる傾向がある。また、依頼者があまり音楽や映像に詳しくない場合、その依頼者にとって、音楽や映像の専門家である音楽制作会社や映像制作会社のスタッフと直接やりとりを行うことに対する心理的な抵抗も大きい。
【０００８】
本発明は、上記の状況に鑑み、ユーザの各種オリジナル作品の制作を、比較的低コストかつ気軽に音楽制作会社等に対しオーダーすることを可能とする手段を提供することを目的とする。
【課題を解決するための手段】
【０００９】
上記課題を達成するために、本発明は、
任意のユーザが行うべき動作を指示する動作指示データと当該動作指示データの指示に従い当該任意のユーザが動作を行う間に前記ユーザに対し表示されるべき画像もしくは発音されるべき音を示す背景コンテンツデータとを含むプロジェクトデータを複数記憶するサーバ装置と、前記サーバ装置との間でネットワークを介して通信可能な端末装置とを備えるシステムにおいて、
前記端末装置が前記サーバ装置に対し前記複数のプロジェクトデータの中から前記端末装置のユーザにより選択された１のプロジェクトデータの送信要求を送信するステップと、
前記送信要求に応じて、前記サーバ装置が前記端末装置に対し前記１のプロジェクトデータを送信するステップと、
前記端末装置が前記送信要求に応じて前記サーバ装置から送信されてくる前記１のプロジェクトデータに含まれる前記動作指示データに従った前記端末装置のユーザに対する指示と当該１のプロジェクトデータに含まれる前記背景コンテンツデータに従った画像の表示または音の発音とを同時に行うとともに、当該指示に従い前記端末装置のユーザにより行われる動作の属性の時系列的な変化を示す記録データの生成を行うステップと、
前記端末装置が前記サーバ装置に対し、前記記録データを送信するステップと、
前記端末装置が前記サーバ装置に対し、前記記録データを用いて生成されるべき一のコンテンツの加工に関する指示を示す加工指示データを送信するステップと
を備える方法
を提供する（第１の実施態様）。
【００１０】
また、本発明は、
任意の端末装置との間でネットワークを介して通信可能なサーバ装置であって、
任意のユーザが行うべき動作を指示する動作指示データと当該動作指示データの指示に従い当該任意のユーザが動作を行う間に前記ユーザに対し表示されるべき画像もしくは発音されるべき音を示す背景コンテンツデータとを含むプロジェクトデータを複数記憶する記憶手段と、
一の端末装置から前記複数のプロジェクトデータの中の１のプロジェクトデータの送信要求を受信する受信手段と、
前記送信要求に応じて、前記一の端末装置に対し前記１のプロジェクトデータを送信する送信手段と
を備え、
前記受信手段は、前記一の端末装置から、前記１のプロジェクトデータに含まれる前記動作指示データに従い前記一の端末装置のユーザが行った動作の属性の時系列的な変化を示す記録データを受信し、
前記受信手段は、前記一の端末装置から、前記記録データを用いて生成されるべき一のコンテンツの加工に関する指示を示す加工指示データを受信する
サーバ装置
を提供する（第２の実施態様）。
【００１１】
上記の第２の実施態様において、
前記加工指示データは、前記記録データに含まれるデータのうち、前記一のコンテンツの加工において使用されるべき部分を示すデータを含む
構成としてもよい（第３の実施態様）。
【００１２】
また、上記の第２もしくは第３の実施態様において、
前記記録データは前記一の端末装置のユーザが行った歌唱演奏を記録した音声データを含み、
前記一のコンテンツは前記音声データを用いてアレンジされた楽曲を示す楽曲データを含み、
前記加工指示データは、前記アレンジにおいて採用されるべき楽曲スタイルを示すデータを含む
構成としてもよい（第４の実施態様）。
【００１３】
また、上記の第２乃至第４のいずれかの実施態様において、
前記加工指示データは、前記一のコンテンツの加工において使用されるべき静止画を示す静止画データを含む
構成としてもよい（第５の実施態様）。
【００１４】
また、上記の第２乃至第５のいずれかの実施態様において、
前記一のコンテンツは、前記記録データを用いて生成されたデータを記録した記録媒体と、当該記録媒体を収容するパッケージとを含み、
前記記憶手段は、任意のコンテンツに含まれる記録媒体およびパッケージの表面に形成される画像に関する複数のテンプレートを記憶し、
前記加工指示データは、前記複数のテンプレートの中の１のテンプレートを指示するデータを含む
構成としてもよい（第６の実施態様）。
【００１５】
また、上記の第２乃至第５のいずれかの実施態様において、
前記一のコンテンツは、前記記録データを用いて生成されたデータであり、
前記受信手段は、前記一の端末装置から一の電子メールアドレスを受信し、
前記送信手段は、前記一の電子メールアドレスに宛てて、前記一のコンテンツもしくは前記一のコンテンツが格納されている前記ネットワークにおける場所を示すアドレスデータを送信する
構成としてもよい（第７の実施態様）。
【００１６】
また、上記の第２乃至第５のいずれかの実施態様において、
前記一のコンテンツは、前記記録データを用いて生成されたデータであり、
前記受信手段は、前記一の端末装置から前記一のコンテンツの送信要求を受信し、
前記送信手段は、前記コンテンツの送信要求に応じて、前記一のコンテンツデータを前記一の端末装置に送信する
構成としてもよい（第８の実施態様）。
【００１７】
また、上記の第２乃至第６のいずれかの実施態様において、
前記受信手段は、前記一の端末装置から、前記一のコンテンツの送付先の住所を示す住所データを受信する
構成としてもよい（第９の実施態様）。
【００１８】
また、本発明は、
コンピュータを、上記の第２乃至第９のいずれかの実施態様にかかるサーバ装置が備える手段として機能させるためのプログラム
を提供する（第１０の実施態様）。
【００１９】
また、本発明は、
任意のユーザが行うべき動作を指示する動作指示データと当該動作指示データの指示に従い当該任意のユーザが動作を行う間に前記ユーザに対し表示されるべき画像もしくは発音されるべき音を示す背景コンテンツデータとを含むプロジェクトデータを複数記憶するサーバ装置との間でネットワークを介して通信可能な端末装置であって、
ユーザの操作に応じて所定の信号を生成する入力手段と、
前記サーバ装置に対しデータを送信する送信手段と、
前記サーバ装置から送信されてくるデータを受信する受信手段と、
ユーザに対し画像の表示もしくは音の発音を行う出力手段と、
ユーザの動作の属性を示すデータを取得し、当該データの時系列的な変化を示す記録データを生成する記録手段と
を備え、
前記送信手段は、前記入力手段に対するユーザの操作に応じて前記複数のプロジェクトデータの中から選択された１のプロジェクトデータの送信要求を前記サーバ装置に対し送信し、
前記受信手段は、前記送信要求に応じて前記サーバ装置から送信されてくる前記１のプロジェクトデータを受信し、
前記出力手段は、前記１のプロジェクトデータに含まれる前記動作指示データに従いユーザに対する指示を示す画像の表示もしくは音の発音を行い、
前記記録手段は、前記出力手段による前記指示を示す画像の表示もしくは音の発音が行われる間、前記記録データの生成を行い、
前記送信手段は、前記記録データを前記サーバ装置に送信し、
前記送信手段は、前記記録データを用いて生成されるべき一のコンテンツの加工に関する指示を示す加工指示データを前記サーバ装置に送信する
端末装置
を提供する（第１１の実施態様）。
【００２０】
上記の第１１の実施態様において、
前記加工指示データは、前記記録データに含まれるデータのうち、前記入力手段に対するユーザの操作に応じて選択された前記一のコンテンツの加工において使用されるべき部分を示すデータを含む
構成としてもよい（第１２の実施態様）。
【００２１】
また、上記の第１１もしくは第１２の実施態様において、
前記送信手段は、前記記録手段により生成されたデータのうち、前記入力手段に対するユーザの操作に応じて前記一のコンテンツの加工において使用されるべき部分として選択されたデータのみを、前記記録データとして前記サーバ装置に送信する
構成としてもよい（第１３の実施態様）。
【００２２】
また、上記の第１１乃至第１３のいずれかの実施態様において、
前記記録手段は、ユーザが行った歌唱演奏を記録した音声データを含む前記記録データを生成し、
前記一のコンテンツは前記音声データを用いてアレンジされた楽曲を示す楽曲データを含み、
前記加工指示データは、前記入力手段に対するユーザの操作に応じて選択された前記アレンジにおいて採用されるべき楽曲スタイルを示すデータを含む
構成としてもよい（第１４の実施態様）。
【００２３】
また、上記の第１１乃至第１４のいずれかの実施態様において、
前記加工指示データは、前記一のコンテンツの加工において使用されるべき静止画を示す静止画データを含む
構成としてもよい（第１５の実施態様）。
【００２４】
また、上記の第１１乃至第１５のいずれかの実施態様において、
前記一のコンテンツは、前記記録データを用いて生成されたデータを記録した記録媒体と、当該記録媒体を収容するパッケージとを含み、
前記サーバ装置は、任意のコンテンツに含まれる記録媒体およびパッケージの表面に形成される画像に関する複数のテンプレートを記憶し、
前記加工指示データは、前記複数のテンプレートの中から前記入力手段に対するユーザの操作に応じて選択された１のテンプレートを指示するデータを含む
構成としてもよい（第１６の実施態様）。
【００２５】
また、上記の第１１乃至第１５のいずれかの実施態様において、
前記一のコンテンツは、前記記録データを用いて生成されたデータであり、
前記送信手段は、前記サーバ装置に対し一の電子メールアドレスを送信し、
前記受信手段は、前記一の電子メールアドレスに宛てて前記サーバ装置から送信された前記一のコンテンツもしくは前記一のコンテンツが格納されている前記ネットワークにおける場所を示すアドレスデータを、前記一の電子メールアドレスに宛てて送信された電子メールを格納するメールサーバ装置から受信する
構成としてもよい（第１７の実施態様）。
【００２６】
また、上記の第１１乃至第１５のいずれかの実施態様において、
前記一のコンテンツは、前記記録データを用いて生成されたデータであり、
前記送信手段は、前記サーバ装置に対し前記一のコンテンツの送信要求を送信し、
前記受信手段は、前記コンテンツの送信要求に応じて前記サーバ装置から送信されてくる前記一のコンテンツデータを受信する
構成としてもよい（第１８の実施態様）。
【００２７】
また、上記の第１１乃至第１６のいずれかの実施態様において、
前記送信手段は、前記サーバ装置に対し前記一のコンテンツの送付先の住所を示す住所データを受信する
構成としてもよい（第１９の実施態様）。
【００２８】
また、上記の第１１乃至第１９のいずれかの実施態様において、
前記記録手段は、ユーザが発声する音声を記録した音声データ、ユーザの姿を示す動画を記録した動画データ、およびユーザの身体の所定部位の位置の時系列的な変化を示す移動データのいずれか、もしくは当該音声データ、当該動画データ、および当該移動データのいずれかを用いて生成されたデータを含む前記記録データを生成する
構成としてもよい（第２０の実施態様）。
【００２９】
また、本発明は、コンピュータを、上記の第１１乃至第２０のいずれかの実施態様にかかる端末装置が備える手段として機能させるためのプログラム
を提供する（第２１の実施態様）。
【発明の効果】
【００３０】
上記の第１の実施態様にかかる方法、第２の実施態様にかかるサーバ装置、および第１１の実施態様にかかる端末装置によれば、ユーザはネットワークを介してダウンロードされるプロジェクトデータに従い歌唱、朗読、演技等を行い、それらを記録した音声データ、動画データ等をサーバ装置にアップロードするとともに、それらの音声データ、動画データ等を用いたオリジナル作品の制作における指示をサーバ装置に送信することで、容易にオリジナル作品の制作のオーダーを行うことができる。
【００３１】
また、上記の第３の実施態様にかかるサーバ装置および第１２にかかる端末装置によれば、例えばプロジェクトデータがカラオケに関するものである場合、ユーザが同じ楽曲に関して行った複数回の歌唱を記録して得られた音声データを端末装置からサーバ装置に対しアップロードするとともに、それらの複数の音声データのうちユーザがオリジナル作品の制作において利用して欲しいと思う部分を指定することが可能となる。その結果、ユーザの希望する内容と制作されるオリジナル作品の内容との乖離が低減される。
【００３２】
また、上記の第１３にかかる端末装置によれば、例えばプロジェクトデータがカラオケに関するものである場合、ユーザが同じ楽曲に関して行った複数回の歌唱を記録して得られた音声データのうち、ユーザがオリジナル作品の制作において利用して欲しいと思う部分のみを端末装置からサーバ装置に対しアップロードすることが可能となる。その結果、ユーザの希望する内容と制作されるオリジナル作品の内容との乖離が低減される。
【００３３】
また、上記の第４の実施態様にかかるサーバ装置および第１４にかかる端末装置によれば、例えばプロジェクトデータがカラオケに関するものである場合、ユーザは自分が希望するアレンジの方向性を示す楽曲スタイルを指示することができる。その結果、ユーザの希望する内容と制作されるオリジナル作品の内容との乖離が低減される。
【００３４】
また、上記の第５の実施態様にかかるサーバ装置および第１５にかかる端末装置によれば、ユーザはオリジナル作品に挿入されるか、もしくはオリジナル作品を示すデータを記録した記録媒体の表面や当該記録媒体を包むパッケージの表面等に印刷されることを希望する画像を指示することができる。その結果、ユーザの希望する内容と制作されるオリジナル作品（もしくはオリジナル作品を含むパッケージ全体）の内容との乖離が低減される。
【００３５】
また、上記の第６の実施態様にかかるサーバ装置および第１６にかかる端末装置によれば、ユーザはオリジナル作品を示すデータを記録した記録媒体の表面や当該記録媒体を包むパッケージの表面等に印刷されるデザインの方向性を示すテンプレートを指示することができる。その結果、ユーザの希望する内容と制作されるオリジナル作品のパッケージの内容との乖離が低減される。
【００３６】
また、上記の第７の実施態様にかかるサーバ装置および第１７にかかる端末装置によれば、ユーザは制作されたオリジナル作品を電子メールの受信により取得、もしくは受信した電子メールに示されるネットワーク内の場所からダウンロードすることにより、手軽かつ迅速に成果物を受け取ることができる。
【００３７】
また、上記の第８の実施態様にかかるサーバ装置および第１８にかかる端末装置によれば、ユーザは制作されたオリジナル作品をサーバ装置からダウンロードすることにより、手軽かつ迅速に成果物を受け取ることができる。
【００３８】
また、上記の第９の実施態様にかかるサーバ装置および第１９にかかる端末装置によれば、ユーザは制作されたオリジナル作品を記録した記録媒体を、郵送により受領することができる。その結果、ユーザが例えばデザイン性に優れたパッケージに包装されたオリジナル作品のＣＤ等を受領したい場合や、ユーザがパッケージに包装されたオリジナル作品のＣＤ等を知人・友人等に郵送したい場合において、ユーザの希望が実現される。
【００３９】
また、上記の第２０にかかる端末装置によれば、ユーザの音声、ユーザの動作する姿を示す動画、もしくは例えばユーザの手の位置の移動等を示す情報を用いたオリジナル作品の制作が可能となる。
【００４０】
また、上記の第１０の実施形態にかかるプログラムもしくは第２１にかかるプログラムによれば、汎用のパーソナルコンピュータ等により、上記のサーバ装置もしくは端末装置が実現される。
【図面の簡単な説明】
【００４１】
【図１】図１は、本発明の第１実施形態にかかるオリジナルＣＤオーダーシステム１の全体構成を示した図である。
【図２】図２は、本発明の第１実施形態にかかるプロジェクトＤＢの構成を模式的に示した図である。
【図３】図３は、本発明の実施形態にかかるテンプレートＤＢの構成を模式的に示した図である。
【図４】図４は、本発明の実施形態にかかる楽曲スタイルＤＢの構成を模式的に示した図である。
【図５】図５は、本発明の実施形態にかかるユーザＤＢの構成を模式的に示した図である。
【図６】図６は、本発明の第１実施形態にかかる記録用のＷｅｂページを模式的に示した図である。
【図７】図７は、本発明の実施形態にかかるテンプレート選択用のＷｅｂページを模式的に示した図である。
【図８】図８は、本発明の実施形態にかかる楽曲スタイル選択・静止画アップロード用のＷｅｂページを模式的に示した図である。
【図９】図９は、本発明の第２実施形態にかかるプロジェクトＤＢの構成を示した図である。
【図１０】図１０は、本発明の第２実施形態にかかる記録用のＷｅｂページを模式的に示した図である。
【発明を実施するための形態】
【００４２】
［１．第１実施形態］
［１．１．構成］
図１は、本発明の第１実施形態にかかるオリジナルＣＤオーダーシステム１の全体構成を示した図である。オリジナルＣＤオーダーシステム１は、一般のユーザが音楽制作会社のスタッフと直接対面することを要することなく、自分の歌唱内容を示す音声データを用いたオリジナルＣＤの制作を依頼することを可能とするシステムである。
【００４３】
オリジナルＣＤオーダーシステム１は、ユーザが用いる端末装置１１と、音楽制作会社により管理されるサーバ装置１２とを備えている。端末装置１１とサーバ装置１２はインターネットを介して互いに通信可能である。端末装置１１およびサーバ装置１２は通信機能を有した一般的なＰＣ（パーソナルコンピュータ）であり、本発明にかかるプログラムに従った処理を実行することにより、以下に説明する端末装置およびサーバ装置として機能する。なお、図１において端末装置１１は１つのみ示されているが、オリジナルＣＤオーダーシステム１を利用するユーザの数に応じて、端末装置１１の数は任意に変化する。
【００４４】
端末装置１１は、本発明にかかるプログラムに従った処理を行うことにより、以下の構成部を備える装置として機能する。
入力手段：ユーザの操作に応じて所定の信号を生成する。具体的には、キーボード、マウス等の入力デバイスである。
送信手段：サーバ装置１２に対し、サーバ装置１２に記憶されている複数のプロジェクトデータのうちの１つを送信するように要求する送信要求を送信する。サーバ装置１２に対し、ユーザの音声を示す音声データと、ユーザの姿を示す動画データとを記録データとして送信する。ユーザにより指定されたテンプレート指定データと、ユーザにより指定された静止画データと、ユーザにより指定された楽曲スタイル指定データとを加工指示データとしてサーバ装置１２に送信する。
受信手段：送信手段により送信された送信要求に応じてサーバ装置１２から送信されてくるプロジェクトデータを受信する。
表示手段：受信手段により受信されたプロジェクトデータに動作指示データとして含まれる歌詞データに示される歌詞を表示する。なお、表示手段は発音手段とともに出力手段を構成する。
発音手段：受信手段により受信されたプロジェクトデータに背景コンテンツデータとして含まれる伴奏データに従い伴奏楽曲の演奏音を発音する。オリジナルＣＤオーダーシステム１においては、伴奏音と歌唱音とを分離するために、発音手段としてはヘッドフォンが用いられる。なお、発音手段は表示手段とともに出力手段を構成する。
撮像手段：ユーザの姿を示す静止画データを連続的に撮影し記録することにより、ユーザの姿の時系列的な変化を示す動画データを生成する。なお、動画データは、ユーザの動作の属性の一種である姿画像の時系列的な変化を記録したデータである。
拾音手段：ユーザが発声した音声を示す音声データを生成する。なお、動画データは、ユーザの動作の属性の一種である音声の時系列的な変化を記録したデータである。
記録手段：撮像手段および拾音手段により生成された動画データおよび音声データを記録する。
【００４５】
なお、端末装置１１の表示手段と発音手段は端末装置１１がユーザに対し情報を出力する出力手段であり、端末装置１１の撮像手段と録音手段は端末装置１１がユーザの動作の属性の時系列的な変化を記録する記録手段である。
【００４６】
また、端末装置１１はＷｅｂブラウザ機能を備え、インターネットを介してサーバ装置１２が提供する各種Ｗｅｂページにアクセスし、Ｗｅｂページを介してユーザ登録や楽曲の選択等に伴うサーバ装置１２との間の情報のやりとりを行うことができる。
【００４７】
サーバ装置１２は、本発明にかかるプログラムに従った処理を行うことにより、以下の構成部を備える装置として機能する。
記憶手段：複数のプロジェクトデータを記憶する。
受信手段：端末装置１１から、記憶手段に記憶されている複数のプロジェクトデータのうちの１つを送信するように要求する送信要求を受信する。端末装置１１から記録データとして送信されてくるユーザの音声を示す音声データとユーザの姿を示す動画データとを受信する。端末装置１１から加工指示データとして送信されてくるテンプレート指定データと、静止画データと、楽曲スタイル指定データとを受信する。
送信手段：受信手段により受信された送信要求に応じて端末装置１１に対しプロジェクトデータを送信する。
【００４８】
また、サーバ装置１２はＷｅｂサーバ機能を備え、インターネットを介して端末装置１１からの要求に応じて各種Ｗｅｂページの提供を行い、Ｗｅｂページを介してユーザ登録や楽曲の選択等に伴う端末装置１１との間の情報のやりとりを行うことができる。
【００４９】
図２は、サーバ装置１２の記憶手段に記憶されるプロジェクトＤＢ（データベース）の構成を模式的に示した図である。プロジェクトＤＢは、複数のカラオケ楽曲の各々に関するプロジェクトデータを管理するデータベースである。プロジェクトＤＢは各プロジェクトデータに対応するプロジェクトレコードの集まりである。プロジェクトレコードは以下のフィールドを備えている。
楽曲ＩＤ：カラオケ楽曲を識別するＩＤ。
楽曲名：カラオケ楽曲の名称を示す。
楽曲ジャンル名：カラオケ楽曲が属する楽曲ジャンルを示す。
伴奏データ名：カラオケ楽曲の伴奏を示す伴奏データのファイル名を示す。
歌詞データ名：カラオケ楽曲の歌詞を示す歌詞データのファイル名を示す。
【００５０】
サーバ装置１２の記憶手段には、プロジェクトＤＢに格納されるプロジェクトレコードの各々に関し、伴奏データ名で特定される伴奏データと、歌詞データ名で特定される歌詞データとが記憶されている。オリジナルＣＤオーダーシステム１において、歌詞データはユーザに対し歌唱すべき歌詞を指示する動作指示データとしての役割を果たし、伴奏データはユーザが歌唱を行う際に再生されるべき伴奏を示す背景コンテンツデータとしての役割を果たす。
【００５１】
図３は、サーバ装置１２の記憶手段に記憶されるテンプレートＤＢの構成を模式的に示した図である。テンプレートＤＢは、オリジナルＣＤのデータ読み取り面ではない面に印刷されるいわゆるラベルのデザイン、オリジナルＣＤを収容するパッケージに印刷もしくは背表紙部分等にはめ込まれる台紙に印刷されるいわゆるジャケットのデザイン、オリジナルＣＤとともにパッケージに収容されるブックレットのデザインに関する雛形であるテンプレートを管理するデータベースである。テンプレートＤＢは各テンプレートに対応するテンプレートレコードの集まりである。テンプレートレコードは以下のフィールドを備えている。
テンプレートＩＤ：テンプレートを識別するＩＤ。
テンプレート名：テンプレートの名称を示す。
サンプルブックレットデータ名：サンプルのブックレットの画像を示す画像データのファイル名を示す。
サンプルラベルデータ名：サンプルのラベルの画像を示す画像データのファイル名を示す。
サンプルジャケットデータ名：サンプルのジャケットの画像を示す画像データのファイル名を示す。
【００５２】
サーバ装置１２の記憶手段には、テンプレートＤＢに格納されるテンプレートレコードの各々に関し、サンプルブックレットデータ名、サンプルラベルデータ名、サンプルジャケットデータ名の各々により特定される画像データが記憶されている。
【００５３】
図４は、サーバ装置１２の記憶手段に記憶される楽曲スタイルＤＢの構成を模式的に示した図である。楽曲スタイルＤＢは、アレンジの方向性を決定する楽曲スタイルの各々に関し、その楽曲スタイルに従ってアレンジされたサンプル曲の演奏データを管理するデータベースである。楽曲スタイルＤＢは各楽曲スタイルに対応する楽曲スタイルレコードの集まりである。楽曲スタイルレコードは以下のフィールドを備えている。
楽曲スタイルＩＤ：楽曲スタイルを識別するＩＤ。
楽曲スタイル名：楽曲スタイルの名称を示す。
サンプルアレンジデータ名：対応する楽曲スタイルに従いサンプル曲をアレンジして制作された演奏データのファイル名を示す。
【００５４】
サーバ装置１２の記憶手段には、楽曲スタイルＤＢに格納される楽曲スタイルレコードの各々に関し、サンプルアレンジデータ名により特定される演奏データが記憶されている。
【００５５】
図５は、サーバ装置１２の記憶手段に記憶されるユーザＤＢの構成を模式的に示した図である。ユーザＤＢは、オリジナルＣＤオーダーシステム１を利用するユーザおよび当該ユーザのオリジナルＣＤ制作のオーダーを管理するデータベースである。ユーザＤＢは各ユーザに対応するユーザレコードの集まりである。ユーザレコードは以下のフィールドを備えている。
ユーザＩＤ：ユーザを識別するＩＤ。
パスワード：ユーザの本人確認を行うための文字、数字、記号の列。
決済情報：オリジナルＣＤの制作およびその発送に伴う費用の決済に用いられるクレジットカード情報を示す。
プロジェクト管理情報：オリジナルＣＤのオーダーの各々に関する情報を示す。
【００５６】
決済情報は、以下のサブフィールドを備えている。
名義人名：クレジットカードの名義人名を示す。
番号：クレジットカードの番号を示す。
有効期限：クレジットカードの有効期限を示す。
【００５７】
プロジェクト管理情報は、以下のサブフィールドを備えている。
音声データ名：ユーザの歌唱音声を示す音声データのファイル名を示す。
動画データ名：ユーザの歌唱中の姿を示す動画データのファイル名を示す。
静止画データ名：ユーザがジャケット等に使用して欲しいと望む静止画データのファイル名を示す。
楽曲ＩＤ：ユーザが歌唱した楽曲を識別する楽曲ＩＤ。
テンプレートＩＤ：ユーザが選択したテンプレートを識別するテンプレートＩＤ。
楽曲スタイルＩＤ：ユーザが選択した楽曲スタイルを識別する楽曲スタイルＩＤ。
送付先氏名：制作されたオリジナルＣＤの受取人の氏名を示す。
送付先住所：制作されたオリジナルＣＤの受取人の住所を示す。
送付数量：制作されたオリジナルＣＤの送付数量を示す。
ステイタス：オリジナルＣＤが制作中であることを示す「制作中」もしくは既にオリジナルＣＤが完成し送付先に送付されている「送付済み」のいずれかを示す。
【００５８】
なお、各ユーザレコードは複数のプロジェクト管理情報を含むことが可能であり、各プロジェクト管理情報は複数の送付先氏名、送付先住所および送付数量の組み合わせを含むことが可能である。
【００５９】
以上がオリジナルＣＤオーダーシステム１の構成に関する説明である。なお、本明細書において「音声データ」はユーザの歌唱による演奏を示す音波形データ、「伴奏データ」は楽器による演奏を示す音波形データ、「演奏データ」は音声および楽器による演奏を示す音波形データを示すものとする。なお、楽器による演奏に関する伴奏データおよび演奏データを、音源装置に対し時系列的に発音の指示を行うことにより演奏内容を示す演奏指示データ（例えばＭＩＤＩデータ等）としたり、音波形データと演奏指示データとの組み合わせとしたりしてもよい。
【００６０】
［１．２．動作］
続いて、オリジナルＣＤオーダーシステム１の動作を説明する。端末装置１１のユーザ（以下、単に「ユーザ」と呼ぶ）は、オリジナルＣＤオーダーシステム１を利用するにあたり、予め端末装置１１からサーバ装置１２が提供するユーザ登録用のＷｅｂページにアクセスし、ユーザ登録を行う。ユーザ登録において、ユーザＤＢに当該ユーザに関する新たなユーザレコードが生成され、ユーザＩＤ、パスワードおよび決済情報が登録される。
【００６１】
ユーザはオリジナルＣＤの制作をオーダーしたい場合、端末装置１１を用いてサーバ装置１２が提供する記録用のＷｅｂページにアクセスする。なお、以下の説明においてサーバ装置１２が提供するＷｅｂページに端末装置１１がアクセスする場合、端末装置１１のユーザはユーザＩＤとパスワードの組み合わせの入力を求められ、入力されたユーザＩＤおよびパスワードの組み合わせに基づき、サーバ装置１２において正しく本人確認された場合に限り、ユーザによるその後の操作が許可される。
【００６２】
図６は、端末装置１１の表示手段に表示される記録用のＷｅｂページを模式的に示した図である。記録用のＷｅｂページにおいて、ユーザはまずリストボックス３１に表示されている楽曲ジャンル名の中から歌唱したい楽曲の楽曲ジャンル名を選択する。なお、リストボックス３１は、プロジェクトＤＢのフィールド「楽曲ジャンル名」に含まれる全ての楽曲ジャンル名をリストアップしたものである。
【００６３】
ユーザの楽曲ジャンル名の選択に応じて、記録用のＷｅｂページのリストボックス３２には、選択された楽曲ジャンル名のジャンルに属する楽曲の楽曲名が表示される。例えば、楽曲ジャンル名「童謡」が選択された場合、リストボックス３２には、プロジェクトＤＢのフィールド「楽曲ジャンル名」が「童謡」であるプロジェクトレコードのフィールド「楽曲名」がリストアップされる。ユーザはリストボックス３２に表示されている楽曲名の中から歌唱した楽曲の楽曲名を選択する。リストボックス３２に表示される楽曲名の各々には、プロジェクトＤＢにおいてその楽曲名を含むプロジェクトレコードに含まれる楽曲ＩＤがリンクされている。
【００６４】
続いて、ユーザはヘッドフォンを端末装置１１に接続し利用可能とした後に、コントロールパネル３３に含まれる再生ボタン３３１をクリックする。この操作に応じて、端末装置１１はリストボックス３２において選択されている楽曲名にリンクされている楽曲ＩＤを含むプロジェクトデータの送信要求をサーバ装置１２に対し送信する。サーバ装置１２は送信要求を受信すると、まず受信した送信要求に含まれる楽曲ＩＤを記憶手段に一時的に記憶する。その後、サーバ装置１２は送信要求に応じて、送信要求に含まれる楽曲ＩＤを含むプロジェクトレコードをプロジェクトＤＢから検索する。サーバ装置１２は検索したプロジェクトレコードに含まれる伴奏データ名および歌詞データ名で各々特定される伴奏データおよび歌詞データを記憶手段から読み出し、それらをプロジェクトデータとして端末装置１１に送信する。
【００６５】
プロジェクトデータは、いわゆるストリーミング配信と呼ばれる方法によりサーバ装置１２から端末装置１１に対し送信される。端末装置１１はサーバ装置１２から順次送信されてくるプロジェクトデータを受信しつつ、プロジェクトデータの全てを受信する前に既に受信しているプロジェクトデータの部分を利用して、プロジェクトデータに含まれる伴奏データに従い伴奏の発音を開始するとともに、歌詞データに従い歌詞の表示を開始する。端末装置１１は同じ楽曲を再度再生する際に備えて、サーバ装置１２から受信したプロジェクトデータを記憶手段に一時的に記憶し、それを保持する。
【００６６】
ユーザは端末装置１１の発音手段により発音される伴奏をヘッドフォンで聴きながら、記録用のＷｅｂページの表示ボックス３４にテロップ表示される歌詞に従い、歌唱を行う。その間、表示ボックス３４には端末装置１１の撮像手段により撮影された現在のユーザの姿が動画として表示される。また、ヘッドフォンからは、端末装置１１の拾音手段により拾音されたユーザの歌唱音が伴奏とミックスされた状態で発音される。つまり、ユーザは自分の歌唱する姿とテロップ表示される歌詞とを見ながら、伴奏に合わせて自分の歌唱音を聴きながら歌唱を行う。なお、録音ボタン３３２をクリックせずに再生ボタン３３１をクリックして開始された伴奏に伴う歌唱は練習であり、録音・録画はされない。
【００６７】
ユーザは必要に応じて、再生ボタン３３１をクリックし歌唱の練習を繰り返すことができる。その際、伴奏の再生および歌詞のテロップ表示には、既に端末装置１１の記憶手段に一時的に記憶されているプロジェクトデータが用いられる。
【００６８】
ユーザは、コントロールパネル３３に含まれる録音ボタン３３２をクリックした後、再生ボタン３３１をクリックする。この場合、録音・録画が行われる。すなわち、端末装置１１は撮像手段によりユーザの歌唱中の姿を示す動画データを生成するとともに、拾音手段によりユーザの歌唱音を示す音声データを生成し、それらのデータを記録データとして記録する。ユーザは録音ボタン３３２をクリックした後に再生ボタン３３１をクリックすることで、２回まで録音・録画を繰り返すことができる。端末装置１１は、そのように記録された複数の記録データをテイク１およびテイク２として記憶手段に一時的に保持する。
【００６９】
なお、録音・録画の繰り返し回数は２回に限られない。また、録音・録画の回数に上限を設けず、ユーザが希望するだけの数のテイクを一時的の保持可能としてもよい。
【００７０】
ユーザは上記のように記録した音声および動画の各々を、各々のテイクに対応するコントロールパネル３５に含まれる再生ボタン３５１をクリックすることで再生することができる。例えばテイク１に対応する再生ボタン３５１がクリックされた場合、端末装置１１は一時的に記憶しているテイク１の記録データに含まれる音声データと伴奏データとに従い伴奏付きの歌唱音を生成し発音手段から発音すると同時に、テイク１の記録データに含まれる動画データに従い表示手段に動画を表示する。
【００７１】
続いて、ユーザはテイク１およびテイク２の各々に対応する選択ボックス３６のいずれかにチェックを入れることにより、オリジナルＣＤの制作に用いられるテイクを選択する。その後、ユーザはＯＫボタン３７をクリックする。その操作に応じて、端末装置１１はユーザにより選択されたテイクの記録データをサーバ装置１２に送信する。
【００７２】
サーバ装置１２は端末装置１１から記録データを受信すると、その記録データを記憶手段に一時的に記憶した後、端末装置１１に対しテンプレート選択用のＷｅｂページを送信する。図７は、端末装置１１の表示手段に表示されるテンプレート選択用のＷｅｂページを模式的に示した図である。
【００７３】
テンプレート選択用のＷｅｂページにおいて、ユーザはリストボックス４１に表示されるテンプレート名の中から希望のものを選択する。リストボックス４１には、テンプレートＤＢに含まれるテンプレート名がリストアップされており、それらのテンプレート名の各々にはテンプレートＤＢにおいて同じテンプレートレコードに含まれるテンプレートＩＤがリンクされている。
【００７４】
端末装置１１はユーザに選択されたテンプレート名にリンクされているテンプレートＩＤを含む送信要求をサーバ装置１２に送信する。サーバ装置１２は送信要求に含まれるテンプレートＩＤを含むテンプレートレコードをテンプレートＤＢから検索し、検索したテンプレートレコードに含まれるサンプルブックレットデータ名、サンプルラベルデータ名、サンプルジャケットデータ名の各々で特定される画像データを記憶手段から読み出す。サーバ装置１２は読み出したそれらの画像データを端末装置１１に送信する。
【００７５】
端末装置１１は、サーバ装置１２から送信されてくる画像データに従い、テンプレート選択用のＷｅｂページの表示ボックス４２、表示ボックス４３、表示ボックス４４の各々に、ブックレットデザイン、ラベルデザイン、ジャケットデザインのサンプル画像を表示する。なお、ユーザは表示ボックス４２の左右に配置されたページめくりボタン４２１および４２２をクリックすることにより、ブックレットのページをめくることができる。
【００７６】
ユーザは、リストボックス４１から希望するテンプレート名をクリックすることにより、各々のテンプレートに応じたサンプルデザインを順次確かめることができる。ユーザはオリジナルＣＤに採用されるべきテンプレートを決定すると、決定したテンプレートのテンプレート名をリストボックス４１において選択した状態でＯＫボタン４５をクリックする。その操作に応じて、端末装置１１は選択されているテンプレート名にリンクされているテンプレートＩＤを含む加工指示データを生成し、生成した加工指示データをサーバ装置１２に送信する。
【００７７】
サーバ装置１２はテンプレートＩＤを含む加工指示データを受信すると、そのテンプレートＩＤを記憶手段に一時的に記憶した後、楽曲スタイル選択・静止画アップロード用のＷｅｂページを端末装置１１に送信する。図８は、端末装置１１の表示手段に表示される楽曲スタイル選択・静止画アップロード用のＷｅｂページを模式的に示した図である。
【００７８】
楽曲スタイル選択・静止画アップロード用のＷｅｂページにおいて、ユーザはリストボックス５１に表示される楽曲スタイル名の中から希望のものを選択する。リストボックス５１には、楽曲スタイルＤＢに含まれる楽曲スタイル名がリストアップされており、それらの楽曲スタイル名の各々には楽曲スタイルＤＢにおいて同じ楽曲スタイルレコードに含まれる楽曲スタイルＩＤがリンクされている。
【００７９】
端末装置１１はユーザに選択された楽曲スタイル名にリンクされている楽曲スタイルＩＤを含む送信要求をサーバ装置１２に送信する。サーバ装置１２は送信要求に含まれる楽曲スタイルＩＤを含む楽曲スタイルレコードを楽曲スタイルＤＢから検索し、検索した楽曲スタイルレコードに含まれるサンプルアレンジデータ名により特定される演奏データを記憶手段から読み出す。サーバ装置１２は読み出した演奏データを端末装置１１に送信する。
【００８０】
端末装置１１は、サーバ装置１２から送信されてくる演奏データに従い、発音手段からアレンジされたサンプル楽曲の演奏音を発音する。なお、ユーザはコントロールパネル５２に含まれるボタンをクリックすることにより、サンプル楽曲の再生の停止、一時停止、再開を行うことができる。ユーザはリストボックス５１から希望する楽曲スタイル名を選択することにより、その楽曲スタイル名の楽曲スタイルに従いアレンジされたサンプル楽曲を順次聴くことができる。
【００８１】
ユーザは、ボタン５３をクリックし、表示される小画面で端末装置１１の記憶手段に記憶されている任意の静止画データのファイル名を指定することで、オリジナルＣＤのブックレット等に使用して欲しいと思う写真等の静止画データのファイルをリストボックス５４に追加することができる。
【００８２】
ユーザはオリジナルＣＤに採用されるべき楽曲スタイルの楽曲スタイル名をリストボックス５１において選択した状態でＯＫボタン５５をクリックする。その操作に応じて、端末装置１１は選択されている楽曲スタイル名にリンクされている楽曲スタイルＩＤと、リストボックス５４にリストアップされているファイル名で特定される静止画データのファイルとを含む加工指示データを生成し、生成した加工指示データをサーバ装置１２に送信する。
【００８３】
サーバ装置１２は楽曲スタイルＩＤと静止画データとを含む加工指示データを受信すると、その楽曲スタイルＩＤと静止画データとを記憶手段に一時的に記憶した後、送付先情報入力・料金確認用のＷｅｂページを端末装置１１に送信する。ユーザは端末装置１１の表示手段に表示される送付先情報入力・料金確認用のＷｅｂページにおいて、制作されたオリジナルＣＤの送付先氏名、送付先住所、送付数量を入力し、ＯＫボタンをクリックする。その操作に応じて、端末装置１１は入力されたそれらの情報を示す送付先データをサーバ装置１２に送信する。
【００８４】
サーバ装置１２は送付先データを受信すると、受信した送付先データに含まれる送付先住所および送付数量に基づき、オリジナルＣＤの制作および発送に伴う料金を所定の計算式に従い算出し、算出した料金を示す料金データを端末装置１１に送信する。端末装置１１は受信した料金データにより示される金額を送付先情報入力・料金確認用のＷｅｂページに表示し、確認を促す。ユーザは料金を確認した後、それで問題がなければ、ＯＫボタンをクリックする。その操作に応じて、端末装置１１はユーザが正式なオーダーを行ったことを示すオーダーデータを生成し、サーバ装置１２に送信する。
【００８５】
サーバ装置１２はオーダーデータを受信すると、それまで記憶手段に一時的に記憶していた楽曲ＩＤ、テンプレートＩＤ、楽曲スタイルＩＤ、送付先氏名、送付先住所、送付数量を各々、ユーザＤＢに含まれるこのユーザのユーザレコードの対応するフィールドに格納する。また、サーバ装置１２は、それまで記憶手段に一時的に記憶していた音声データ、動画データ、静止画データを記憶手段にファイルとして保存し、それらのファイル名をこのユーザのユーザレコードの対応するフィールドに格納する。さらに、サーバ装置１２はこのユーザのユーザレコードのフィールド「ステイタス」に「制作中」を格納する。
【００８６】
以上の動作により、サーバ装置１２にはオリジナルＣＤの制作に必要な全てのデータが登録されたことになる。サーバ装置１２を管理する音楽制作会社のスタッフは、ユーザＤＢに登録されているデータに基づき、ユーザの歌唱音を用いてユーザ指定の楽曲スタイルに従いアレンジを行い、アレンジされた楽曲の演奏データをＣＤメディアに記録する。また、音楽制作会社のスタッフは、ユーザの歌唱中の動画からキャプチャした静止画やユーザからアップロードされた静止画を用いて、ユーザ指定のテンプレートに従い、オリジナルＣＤのブックレット、ラベル、ジャケットのデザインを行う。
【００８７】
上記のようにオリジナルＣＤおよびそれに伴うブックレット、ラベルおよびジャケットの制作を終え、それらをパッケージとして製造すると、音楽制作会社のスタッフはユーザにより指定された送付先の各々に対し、指定された数量のオリジナルＣＤのパッケージの発送を行う。その結果、ユーザもしくはユーザが指定した送付先の受取人は、オリジナルのパッケージに含まれるオリジナルＣＤを受け取ることができる。
【００８８】
上記のように、オリジナルＣＤオーダーシステム１によれば、ユーザは音楽制作会社のスタッフと直接対面等することなく気軽にオリジナルＣＤの制作を依頼し、その成果物を受け取ることができる。その際、ユーザが指定したテンプレートや楽曲スタイル等が加工指示データとして音楽制作会社側のサーバ装置に送信されるため、ユーザと音楽制作会社のスタッフとの間の直接的なやりとりがなくとも、ユーザの希望する成果物の制作が可能となる。そのため、オリジナルＣＤの制作に要するコストも低減される。
【００８９】
［１．３．第１実施形態の変形例］
上述した第１実施形態は様々に変形可能である。以下にそれらの変形の例を示す。
【００９０】
上述した第１実施形態においては、ユーザが２回、歌唱の録音・録画を行い、その結果記録されたテイク１およびテイク２の記録データのうちのいずれか一方を選択し、選択されたテイクの記録データのみが端末装置１１からサーバ装置１２に送信される。なお、ユーザが録音・録画を行える回数が２回に限られない点は既に述べたとおりである。
【００９１】
複数回の録音・録画により得られた記録データのうち、ユーザに選択されたもののみを端末装置１１からサーバ装置１２に送信する代わりに、全ての記録データをサーバ装置１２に送信するとともに、ユーザによりいずれの記録データが選択されたかを示すデータを端末装置１１からサーバ装置１２に送信する構成としてもよい。その場合、音楽制作会社のスタッフは、例えばユーザにより選択された記録データに含まれる音声データを主として利用しつつ、ユーザに選択されなかったテイクの音声データをコーラス用のデータとして利用して楽曲のアレンジを行う、といったことが可能となる。
【００９２】
また、上述した第１実施形態においては、ユーザが記録データを選択する単位はテイク単位であるが、本発明はそれに限られない。例えば、記録データのうち、音声データに関してはテイク１を、動画データに関してはテイク２を選択することを可能としてもよい。また、楽曲を例えば「イントロ」、「Ａメロ１」、「Ｂメロ１」、「Ａメロ２」、「Ｂメロ２」、「エンディング」等のブロックに分割し、ブロックの各々に関し複数のテイクの中からユーザが希望する部分を選択可能としてもよい。その場合、ユーザにより選択された部分のみが端末装置１１からサーバ装置１２に送信される構成としてもよいし、全ての記録データが、ユーザにより選択された部分を示すデータとともに、端末装置１１からサーバ装置１２に送信される構成としてもよい。
【００９３】
上述した第１実施形態においては、パッケージ化されたオリジナルＣＤが送付先に対し郵送（配送）される。これに代えて、制作された演奏データおよびジャケット等の画像データが端末装置１１のユーザにより予め指定された電子メールアドレス宛にサーバ装置１２から送信される構成としてもよい。その場合、ユーザは例えば送付先情報入力・料金確認用のＷｅｂページにおいて、送付先氏名、送付先住所、送付数量を入力する代わりに送付先の電子メールアドレスを入力し、送付先データとしてサーバ装置１２に送信する。
【００９４】
上記のように、受取人の電子メールアドレスに対し直接、演奏データおよび画像データを送信する代わりに、音楽制作会社のスタッフが成果物の演奏データおよび画像データをサーバ装置１２もしくはインターネットを介してアクセス可能なネットワーク上のいずれかの場所に格納しておき、その格納場所を示すＵＲＬを示した電子メールをサーバ装置１２から受取人の電子メールアドレス宛に送信する構成としてもよい。その場合、受取人は電子メールに含まれるＵＲＬの表示をクリック等することにより演奏データおよび画像データをネットワーク内の格納場所から自分の端末装置にダウンロードし、演奏の再生およびブックレット等の表示を行うことができる。
【００９５】
また、ユーザが自分のユーザＩＤおよびパスワードによりサーバ装置１２による本人認証を受けた後、サーバ装置１２が提供する所定のＷｅｂページにアクセスし、そのＷｅｂページ上で所定のボタンをクリック等することにより、サーバ装置１２からユーザの端末装置に成果物の演奏データおよび画像データをダウンロード可能としてもよい。
【００９６】
［２．第２実施形態］
［２．１．構成および動作］
続いて、本発明の第２実施形態にかかるオリジナル絵本ＤＶＤオーダーシステム２の構成および動作を説明する。オリジナル絵本ＤＶＤオーダーシステム２は、ユーザが朗読した台詞の再生を伴う電子絵本の音声付き動画データを格納したＤＶＤの制作をユーザがネットワークを介してオーダーすることを可能とするシステムである。
【００９７】
オリジナル絵本ＤＶＤオーダーシステム２の構成および動作は、多くの点でオリジナルＣＤオーダーシステム１と共通しているため、以下にそれらが異なる点を中心に説明する。オリジナル絵本ＤＶＤオーダーシステム２を構成する装置は、オリジナルＣＤオーダーシステム１と同様に、図１に示した端末装置１１およびサーバ装置１２である。
【００９８】
オリジナル絵本ＤＶＤオーダーシステム２において、サーバ装置１２の記憶手段には、オリジナルＣＤオーダーシステム１の場合と同様に、プロジェクトＤＢ、テンプレートＤＢ、楽曲スタイルＤＢおよびユーザＤＢが記憶されている。テンプレートＤＢ、楽曲スタイルＤＢおよびユーザＤＢは、オリジナルＣＤオーダーシステム１におけるものと同様の構成を備えている。なお、オリジナル絵本ＤＶＤオーダーシステム２において、楽曲スタイルは絵本の朗読が行われる際の背景音楽のアレンジの方向性を決めるものとして用いられる。
【００９９】
図９は、サーバ装置１２に記憶されているプロジェクトＤＢの構成を示した図である。オリジナルＣＤオーダーシステム１において、プロジェクトＤＢは以下のフィールドを持つプロジェクトレコードの集まりである。
絵本ＩＤ：絵本を識別するＩＤ。
絵本名：絵本の名称を示す。
背景画像データ名：絵本の絵の部分の画像群を示す画像データのファイル名を示す。
背景音楽データ名：背景音楽を示す演奏データのファイル名を示す。
ナレーションデータ名：絵本のナレーションの文章を示すナレーションデータのファイル名を示す。
【０１００】
図１０は、オリジナル絵本ＤＶＤオーダーシステム２における記録用のＷｅｂページを模式的に示した図である。ユーザは記録用のＷｅｂページに含まれるリストボックス３２に表示される絵本名から、朗読を行いたい絵本の絵本名を選択し、コントロールパネル３３の再生ボタン３３１をクリックする。その操作に応じて、表示ボックス３４−１にはサーバ装置１２から送信されてくるプロジェクトデータに含まれる画像データに従い絵本の絵の部分が表示されると同時に、ナレーションデータに従い絵本のナレーションの文章がテロップ表示される。表示ボックス３４−１に表示される絵本は時間の経過に伴い自動的にページめくりが行われる。
【０１０１】
また、端末装置１１の発音手段からはサーバ装置１２から送信されてくるプロジェクトデータに含まれる演奏データに従い演奏音が発音される。さらに、表示ボックス３４−２には、朗読を行うユーザの姿を示す映像が表示される。
【０１０２】
オリジナルＣＤオーダーシステム１における場合と同様に、ユーザはコントロールパネル３３の録音ボタン３３２をクリックした後に再生ボタン３３１をクリックすることで、自分の朗読の音声を音声データとして端末装置１１に記録させるとともに、自分の姿を動画データとして端末装置１１に記録させることができる。ただし、オリジナル絵本ＤＶＤオーダーシステム２における音声データおよび動画データは、絵本に含まれる複数の見開きページの各々に対応するデータとして記録される。
【０１０３】
ユーザはテイク１およびテイク２の記録を終えた後、セレクトパネル３８に含まれるいずれかのブロックを選択し、コントロールパネル３５に含まれる再生ボタン３５１をクリックすることにより、選択したブロックに対応するテイクおよび見開きページに関する自分の朗読の音声の再生および自分の姿を示す動画の表示を端末装置１１に行わせることができる。ユーザはオリジナル絵本ＤＶＤの制作に利用してもらいたいと思う音声データおよび動画データに対応するブロックの選択ボックスにチェックを入れた後、ＯＫボタン３７をクリックする。その操作に応じて、端末装置１１はユーザに選択された音声データおよび動画データの集まりを記録データとしてサーバ装置１２に送信する。
【０１０４】
その後のオリジナル絵本ＤＶＤオーダーシステム２の動作は、オリジナルＣＤオーダーシステム１におけるものと同様である。その結果、ユーザは映像制作会社に対し、オリジナル絵本ＤＶＤの制作を依頼することができる。映像制作会社のスタッフは、ユーザの依頼に応じてオリジナル絵本ＤＶＤの制作を行う。
【０１０５】
具体的には、映像制作会社のスタッフは、例えばサーバ装置１２に記憶されている音声データを用いて、絵本のナレーションの編集（例えば、ボリューム調整や音質の調整、タイミングの調整等）を行う。また、映像制作会社のスタッフは、サーバ装置１２に記憶されている楽曲スタイルＩＤにより示される楽曲スタイルに従い、背景音楽のアレンジを行う。また、映像制作会社のスタッフは、サーバ装置１２に記憶されているテンプレートＩＤにより示されるテンプレートに従い、ブックレット、ラベル、ジャケットのデザインを行う。上記のようにして制作されたオリジナル絵本ＤＶＤは、サーバ装置１２に記憶されている送信先に送付される。
【０１０６】
上記のように、オリジナル絵本ＤＶＤオーダーシステム２によれば、ユーザは映像制作会社のスタッフと直接対面等することなく気軽にオリジナル絵本ＤＶＤの制作を依頼し、その成果物を受け取ることができる。その際、ユーザが指定したテンプレートや楽曲スタイル等が加工指示データとして映像制作会社側のサーバ装置に送信されるため、ユーザと映像制作会社のスタッフとの間の直接的なやりとりがなくとも、ユーザの希望する成果物の制作が可能となる。そのため、オリジナル絵本ＤＶＤの制作に要するコストも低減される。
【０１０７】
［２．２．第２実施形態の変形例］
上述した第２実施形態は様々に変形可能である。例えば、第１実施形態に関し上述した変形と同様の変形を第２実施形態に施してもよい。具体的には、テイクの数は２つに限られず、任意に変更してもよい。また、記録されたデータのうちユーザに選択された部分のみをサーバ装置１２に送信する代わりに、記録されたデータの全てをユーザにより選択された部分を示すデータとともにサーバ装置１２に送信する構成としてもよい。また、ブロック単位の選択に代えて、テイク単位の選択としてもよい。
【０１０８】
さらに、成果物の送付方法も郵送に限られず、データを電子メールで送信してもよいし、ユーザが端末装置を用いて映像制作会社から通知されたＵＲＬにアクセスすることにより端末装置にダウンロード可能としてもよい。
【０１０９】
［３．第１実施形態および第２実施形態の変形例］
上述した第１実施形態および第２実施形態に共通する変形例を以下に示す。
【０１１０】
上述した実施形態においては、ユーザの歌唱中もしくは朗読中の姿を示す動画データは、ジャケット等に利用される静止画を切り出すためのデータとして利用されるものとした。ユーザの姿を示す動画データの利用方法はこれに限られず、例えば歌唱を行う姿を音声とともに記録した、いわゆるビデオＣＤを成果物としてもよい。
【０１１１】
また、上述した実施形態においては、ユーザの音声を示す音声データおよびユーザの姿を示す動画データを記録データとしてオリジナルＣＤやオリジナル絵本の制作に利用するものとした。本発明において記録データとして利用可能なデータは音声データおよび動画データに限られない。
【０１１２】
例えば、ユーザの姿を撮影して得られた動画データに対し画像認識処理を行い、ユーザの身体の特定部位、例えば頭の中心、手首、肘、足首、膝、腰等の位置を特定し、それらの位置の時系列的な変化を示すデータを記録データとして利用してもよい。また、画像認識処理に代えて、ユーザの身体の特定部位に加速度センサ等のセンサを装着等し、センサから端末装置１１に対し例えば無線通信により計測したデータを送信し、端末装置１１においてセンサから受信したデータを処理することにより、ユーザの身体の特定部位の時系列的な変化を示すデータを記録データとして生成する構成としてもよい。
【０１１３】
上記のようにして得られた記録データ、すなわちユーザの身体の特定部位の位置の時系列的な変化を示すデータは、例えばユーザの動きに応じて画面内で動くキャラクタ画像の生成に利用可能である。その場合、ユーザ自身の姿に加えて、もしくはそれに代えて、キャラクタ画像のアニメーションを動画として採用したビデオＣＤ等の制作が可能となる。
【０１１４】
さらに、ユーザの音声データをそのまま用いる代わりに、音声データから特徴データを抽出し、抽出した特徴データの時系列的な変化を示すデータを記録データとして利用する構成としてもよい。音声データから抽出される特徴データとは、例えば音量、音高、音質等である。特徴データの時系列的な変化を示すデータを記録データとして利用する例として、例えば音高に応じて表情が変化したり、音量に応じてポーズが変化したりするキャラクタ画像をビデオＣＤ等に利用することが考えられる。
【０１１５】
なお、上述した実施形態においては、端末装置１１およびサーバ装置１２は汎用のコンピュータに本発明にかかるプログラムを実行させることにより実現されるものとしたが、それに代えて、端末装置１１およびサーバ装置１２を、それらの装置が備える構成部の各々を実現するハードウェアの組み合わせにより実現させてもよい。
【符号の説明】
【０１１６】
１…オリジナルＣＤオーダーシステム、２…オリジナル絵本ＤＶＤオーダーシステム、１１…端末装置、１２…サーバ装置。
【図１】
2010211772.tif 000003
【図２】
2010211772.tif 000004
【図３】
2010211772.tif 000005
【図４】
2010211772.tif 000006
【図５】
2010211772.tif 000007
【図６】
2010211772.tif 000008
【図７】
2010211772.tif 000009
【図８】
2010211772.tif 000010
【図９】
2010211772.tif 000011
【図１０】
2010211772.tif 000012